(57)【要約】      （修正有）【課題】コスト削減及び材料の節約を達成させるフィルムを提供する。【解決手段】キャリア層１０と、キャリア層１０の一面に設けられる万能層１１と、を備え、キャリア層１０の一面には第一テクスチャ１００を有し、万能層１１は第一テクスチャ１００に対向する一面に第二テクスチャ１１０を有し、第一テクスチャ１００を有するキャリア層１０の一面に万能層１１が設けられる場合、第一テクスチャ１００に対向する万能層１１の一面に第一テクスチャ１００が転写されて第二テクスチャ１１０が形成され、或いは万能層１１のキャリア層１０に対する一面が明るい面となり、またはキャリア層１０が明るい面を有する。【選択図】図１
0003222996.tif 000002
【実用新案登録請求の範囲】
【請求項１】
キャリア層と、
前記キャリア層の一面に設けられる万能層と、を備えることを特徴とするフィルム。
【請求項２】
前記キャリア層の一面には第一テクスチャを有し、前記万能層は前記第一テクスチャに対向する一面に第二テクスチャを有し、前記第一テクスチャを有する前記キャリア層の一面に前記万能層が設けられる場合、前記第一テクスチャに対向する前記万能層の一面に前記第一テクスチャが転写されて前記第二テクスチャが形成され、或いは前記万能層の前記キャリア層に対する一面が明るい面となり、または前記キャリア層が明るい面を有することを特徴とする請求項１に記載のフィルム。
【請求項３】
前記キャリア層は離型力を有する材料による透明層または半透明層であり、或いは前記万能層は柔軟材質または硬質材料であり、または前記万能層はポリウレタン層または紫外線硬化樹脂層であることを特徴とする請求項１に記載のフィルム。
【請求項４】
前記万能層は単機能層または多機能層であることを特徴とする請求項１に記載のフィルム。
【請求項５】
前記単機能層はプリント層、硬化層、接着層、抗菌層、放熱層、または金属層であることを特徴とする請求項４に記載のフィルム。
【請求項６】
前記多機能層は接着層及び硬化層の組み合わせ、接着層、硬化層、及びプリント層の組み合わせ、接着層、硬化層、及び抗菌層の組み合わせ、接着層、硬化層、及び放熱層の組み合わせ、接着層、硬化層、及び金属層の組み合わせ、或いはプリント層、硬化層、接着層、抗菌層、放熱層、及び金属層のうちの少なくとも１層または少なくともいずれか２層の組み合わせであることを特徴とする請求項４に記載のフィルム。
【請求項７】
前記硬化層は金属添加物、可塑化添加物、顔料添加物、木材添加物、皮革添加物、紙類添加物、または前述の少なくとも２つの組み合わせを有し、或いは前記接着層は金属添加物、可塑化添加物、顔料添加物、木材添加物、皮革添加物、紙類添加物、または前述の少なくとも１つか少なくとも２つの組み合わせを有し、もしくは前記万能層は金属添加物、可塑化添加物、顔料添加物、木材添加物、皮革添加物、紙類添加物、または前述の少なくとも１つか少なくとも２つの組み合わせを有することを特徴とする請求項５または６に記載のフィルム。
【請求項８】
前記金属層は電磁波防止層またはアンテナ層であり、或いは前記金属層は非導電真空金属メッキ層、スパッタリング層、または金属材料であり、前記プリント層は文字やパターンを有する層であり、或いは前記プリント層は特定の顔料を有し、もしくは前記プリント層の一部領域が特定の顔料を有することを特徴とする請求項５または６に記載のフィルム。
【請求項９】
前記特定の顔料により前記プリント層が特殊な質感、真珠の光沢、金属の光沢、木の色合い、皮革の光沢、紙の質感、または前述の少なくとも１つか少なくとも２つの組み合わせを呈することを特徴とする請求項８に記載のフィルム。
【請求項１０】
前記特殊な質感により前記プリント層が塗装に似た質感を呈し、前記塗装に似た質感とは高光沢質感、低光沢質感、カラー質感、皮革質感、金属質感、または前述の少なくとも１つか少なくとも２つの組み合わせであることを特徴とする請求項９に記載のフィルム。
【請求項１１】
前記万能層は金属、カーボンファイバー、グラスファイバー、紙類、複合材料、或いはプラスチック製のケース等の加工物に貼付されることを特徴とする請求項１に記載のフィルム。
【考案の詳細な説明】
【技術分野】
【０００１】
本考案は、フィルム（Film body）に関し、更に詳しくは、加工物の表面に貼付され、且つ製造にかかる材料及びコストを節約可能なフィルムに関する。
【背景技術】
【０００２】
従来の表面装飾技術は、人々の成果いつの中で吹き付け塗装、塗装、水圧転写、または熱転写等が日常的に使用されている。例えば、前記従来の表面装飾技術はノートパソコン、スマートフォン、携帯型マルチメディアプレーヤー、翻訳機、車両、家電等に応用されている。
【０００３】
また、近年環境保護意識の高まりにより、従来の表面装飾技術において使用される吹き付け塗装や塗装で使用される揮発性有機化合物（Volatile organic compounds、VOC）が法令により規制されるリスクがあった。
【考案の概要】
【考案が解決しようとする課題】
【０００４】
従来の表面装飾技術により装飾される製品は人々に利便性をもたらす。但し、これらの製品の外ケースは金属ケースまたはプラスチックケースに分けられるが、前記外ケースの外観が単調であるため、メーカーでは被膜またはフィルムを貼着することにより前記外ケースの外観の改善を図っている。
【０００５】
上述の被膜または貼着に使用されるフィルムは、消費者の需要を満たすために多層設計を採用している。各層が独自の機能を備え、例えば、抗菌層、プリント層、アンテナ層、金属層、硬化層、放熱層等がある。然しながら、多層設計のフィルムは意図せず材料の浪費やコスト上昇の原因に繋がることがあり、層の少ないフィルムを以って従来のフィルムの効果を達成させ、コスト削減及び材料の節約を達成させることがメーカーにとっての検討課題となっている。
【０００６】
本考案は、このような従来の問題に鑑みてなされたものである。上記課題解決のため、本考案は、フィルムを提供することを主目的とする。離型効果を有するキャリア層及び万能の万能層を組み合わせることにより、材料を節約させることでコスト削減効果を更に達成させる。
【課題を解決するための手段】
【０００７】
上記課題を解決するために、本考案のある態様のフィルムは、キャリア層と、前記キャリア層の一面に設けられる万能層と、を備える。
【０００８】
本考案の好適例において、前記キャリア層の一面には第一テクスチャを有し、前記万能層は前記第一テクスチャに対向する一面に第二テクスチャを有する。前記第一テクスチャを有する前記キャリア層の一面に前記万能層が設けられる場合、前記第一テクスチャに対向する前記万能層の一面に前記第一テクスチャが転写されて前記第二テクスチャが形成される。
【０００９】
本考案の好適例において、前記キャリア層は離型力を有する材料による透明層または半透明層であり、或いは前記万能層は柔軟材質または硬質材料である。もしくは、前記万能層は柔軟材質または硬質材料である。前記万能層は単機能層または多機能層である。
【考案の効果】
【００１０】
以上を総合すると、本考案に係る万能層は従来のフィルムの多層効果または単層の効果を有し、よって、本考案の製造において材料を大量に節約でき、コスト削減効果を達成させる。
【図面の簡単な説明】
【００１１】
【図１】本考案に係るフィルムを説明する一部の断面の概略図である。
【図２】本考案の万能層がケースに貼付けられる一部の断面の概略図である。
【考案を実施するための形態】
【００１２】
以下、本考案の実施の形態について、図面を参照して詳細に説明する。なお、本考案は以下の例に限定されるものではなく、本考案の要旨を逸脱しない範囲で、任意に変更可能であることは言うまでもない。
【００１３】
本考案のフィルムはキャリア層１０及び万能層１１を備える（図１参照）。キャリア層１０は透明層または半透明層である。キャリア層１０は離型力を有する材料である。前記材料はポリプロピレン、オルトフェニルフェノール、ポリオレフィン、または無延伸ポリプロピレンである。キャリア層１０の一面には第一テクスチャ１００を有する。
【００１４】
万能層１１は、第一テクスチャ１００を有するキャリア層１０の一面に設けられ、万能層１１は第一テクスチャ１００に対向する箇所に第二テクスチャ１１０を有する。第二テクスチャ１１０はポリウレタン（polyurethanes、PU）効果を有するテクスチャである。万能層１１は単機能層または多機能層である。
【００１５】
キャリア層１０が半透明層である場合、エネルギー集約特性を有する。よって、万能層１１が紫外線（Ultraviolet、 UV）硬化樹脂層である場合、エネルギーを集約したキャリア層１０が万能層１１を硬化させる。更には、前記半透明層は透明層に顔料が結合されることで形成され、前記顔料の色はキャリア層材料自体の色であり、或いは他の着色料が添加されて形成される半透明色を呈し、例えば、半透明の黒色や青色を呈する。半透明の黒色層はエネルギーの集約に用いられ、且つ安定制御効果を有する。
【００１６】
上述したように、第二テクスチャ１１０の形成方式は、第一テクスチャ１００を有するキャリア層１０の一面に万能層１１が設けられる場合、第一テクスチャ１００が第一テクスチャ１００に対向する万能層１１の一面に転写され、第二テクスチャ１１０に形成される。
【００１７】
単機能層はプリント層、硬化層、接着層、抗菌層、放熱層、または金属層である。例えば、単機能層はポリウレタン層または紫外線硬化樹脂層であり、或いはポリウレタン層には金属材料、顔料、染料、紙類、皮革、可塑化添加物、木材等が結合される。
【００１８】
多機能層は接着層及び硬化層の組み合わせ、接着層、硬化層、及びプリント層の組み合わせ、接着層、硬化層、及び抗菌層の組み合わせ、接着層、硬化層、及び放熱層の組み合わせ、接着層、硬化層、及び金属層の組み合わせ、或いはプリント層、硬化層、接着層、抗菌層、放熱層、及び金属層のうちの少なくとも１層または少なくともいずれか２層の組み合わせである。
【００１９】
万能層１１はポリウレタンのような柔軟材質または紫外線硬化樹脂のような硬質材料である。或いは、万能層１１はキャリア層１０に対する一面が明るい面となる。もしくは、キャリア層１０が明るい面を有する。
【００２０】
前記硬化層は金属添加物、可塑化添加物、顔料添加物、木材添加物、皮革添加物、紙類添加物、または前述の少なくとも１つか少なくとも２つの組み合わせを有する。或いは、前記接着層は金属添加物、可塑化添加物、顔料添加物、木材添加物、皮革添加物、紙類添加物、または前述の少なくとも１つか少なくとも２つの組み合わせを有する。もしくは、万能層１１は金属添加物、可塑化添加物、顔料添加物、木材添加物、皮革添加物、紙類添加物、または前述の少なくとも１つか少なくとも２つの組み合わせを有する。
【００２１】
前記金属層は電磁波防止層またはアンテナ層であり、或いは前記金属層は非導電真空金属メッキ層（Non Conductive Vacuum Metallization、NCVM）、スパッタリング層、または金属材料である。
【００２２】
前記プリント層は文字またはパターンを有する層であり、或いは前記プリント層は特定の顔料を有し、もしくは前記プリント層の一部領域に特定の顔料を有する。前記特定の顔料により前記プリント層が特殊な質感、真珠の光沢、金属の光沢、木の色合い、皮革の光沢、紙の質感、または前述の少なくとも２つの組み合わせを呈する。前記特殊な質感により前記プリント層が塗装に似た質感を呈し、前記塗装に似た質感とは高光沢質感、低光沢質感、カラー質感、皮革質感、金属質感、または前述の少なくとも２つの組み合わせを呈する。
【００２３】
上述のプリント層、硬化層、接着層、抗菌層、放熱層、及び金属層の製造方法は共に従来技術において常用される既知の方法が用いられるため、ここでは詳述を省く。
【００２４】
図２に示されるように、万能層１１は第二テクスチャ１１０を有する一面に粘着力を有し、前記粘着力により万能層１１が加工物２０の表面に貼付される。前記加工物２０は自転車のフレーム、ボディシェル、おもちゃ、携帯通信装置のケース、タブレット端末のケース、デスクトップパソコンのケース、ノートパソコンのケース、または筐体等である。よって、万能層１１が加工物２０の表面に貼付されると、キャリア層１０が剥がされて万能層１１の第二テクスチャ１１０が表れる。自転車のフレーム、ボディシェル、おもちゃ、携帯通信装置のケース、タブレット端末のケース、デスクトップパソコンのケース、ノートパソコンのケース、または筐体は紙類、複合材料、プラスチック、または金属で製造される。前記加工物２０は金属、カーボンファイバー、グラスファイバー、紙類、複合材料、またはプラスチック製のケースである。
【００２５】
以上を総合すると、キャリア層１０は離型力を有する材料である。このため、キャリア層１０が万能層１１に直接接着されると、従来のフィルム技術に比べてキャリア層１０と万能層１１との間の粘着層が省かれる。粘着層が省かれることによって材料が節約される以外、キャリア層１０が剥がされた後に万能層１１の表面に接着剤が残留する心配もなくなる。
【００２６】
また、万能層１１は従来のフィルムの多層効果または単層の効果を有し、本考案の製造において材料が大量に節約可能になり、コスト削減効果が達成される。
【００２７】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２８】
１０  キャリア層
１００  第一テクスチャ
１１  万能層
１１０  第二テクスチャ
２０  加工物
【図１】
0003222996.tif 000003
【図２】
0003222996.tif 000004
【手続補正書】
【提出日】令和1年7月11日(2019.7.11)
【手続補正１】
【補正対象書類名】実用新案登録請求の範囲
【補正対象項目名】全文
【補正方法】変更
【補正の内容】
【実用新案登録請求の範囲】
【請求項１】
キャリア層と、
前記キャリア層の一面に設けられる万能層と、を備え、
前記キャリア層の一面には第一テクスチャを有し、前記万能層は前記第一テクスチャに対向する一面に第二テクスチャを有し、前記第一テクスチャを有する前記キャリア層の一面に前記万能層が設けられる場合、前記第一テクスチャに対向する前記万能層の一面に前記第一テクスチャが転写されて前記第二テクスチャが形成され、或いは前記万能層の前記キャリア層に対する一面が明るい面となり、または前記キャリア層が明るい面を有することを特徴とすることを特徴とするフィルム。
【請求項２】
前記キャリア層は離型力を有する材料による透明層または半透明層であり、前記万能層は柔軟材質または硬質材料であり、または前記万能層はポリウレタン層または紫外線硬化樹脂層であることを特徴とする請求項１に記載のフィルム。
【請求項３】
前記万能層は単機能層または多機能層であり、
前記単機能層は、プリント層、硬化層、接着層、抗菌層、放熱層、または金属層であり、
前記多機能層は、接着層及び硬化層の組み合わせ、接着層、硬化層、及びプリント層の組み合わせ、接着層、硬化層、及び抗菌層の組み合わせ、接着層、硬化層、及び放熱層の組み合わせ、接着層、硬化層、及び金属層の組み合わせ、或いはプリント層、硬化層、接着層、抗菌層、放熱層、及び金属層のうちの少なくとも１層または少なくともいずれか２層の組み合わせであることを特徴とする請求項１に記載のフィルム。
【請求項４】
前記硬化層は金属添加物、可塑化添加物、顔料添加物、木材添加物、皮革添加物、紙類添加物、または前述の少なくとも２つの組み合わせを有し、前記接着層は金属添加物、可塑化添加物、顔料添加物、木材添加物、皮革添加物、紙類添加物、または前述の少なくとも１つか少なくとも２つの組み合わせを有し、前記万能層は金属添加物、可塑化添加物、顔料添加物、木材添加物、皮革添加物、紙類添加物、または前述の少なくとも１つか少なくとも２つの組み合わせを有することを特徴とする請求項２または３に記載のフィルム。
【請求項５】
前記金属層は電磁波防止層またはアンテナ層であるか或いは前記金属層は非導電真空金属メッキ層、スパッタリング層、または金属材料であり、前記プリント層は文字やパターンを有する層であり、前記プリント層は特定の顔料を有するか、もしくは前記プリント層の一部領域が特定の顔料を有することを特徴とする請求項２または３に記載のフィルム。
【請求項６】
前記特定の顔料により前記プリント層が特殊な質感、真珠の光沢、金属の光沢、木の色合い、皮革の光沢、紙の質感、または前述の少なくとも１つか少なくとも２つの組み合わせを呈することを特徴とする請求項５に記載のフィルム。
【請求項７】
前記特殊な質感により前記プリント層が塗装に似た質感を呈し、前記塗装に似た質感とは高光沢質感、低光沢質感、カラー質感、皮革質感、金属質感、または前述の少なくとも１つか少なくとも２つの組み合わせであることを特徴とする請求項６に記載のフィルム。
【請求項８】
前記万能層は金属、カーボンファイバー、グラスファイバー、紙類、複合材料、或いはプラスチック製のケース等の加工物に貼付されることを特徴とする請求項１に記載のフィルム。
【手続補正２】
【補正対象書類名】明細書
【補正対象項目名】０００７
【補正方法】変更
【補正の内容】
【０００７】
上記課題を解決するために、本考案のある態様のフィルムは、キャリア層と、前記キャリア層の一面に設けられる万能層と、を備え、前記キャリア層の一面には第一テクスチャを有し、前記万能層は前記第一テクスチャに対向する一面に第二テクスチャを有する。前記第一テクスチャを有する前記キャリア層の一面に前記万能層が設けられる場合、前記第一テクスチャに対向する前記万能層の一面に前記第一テクスチャが転写されて前記第二テクスチャが形成される。
【手続補正３】
【補正対象書類名】明細書
【補正対象項目名】０００８
【補正方法】削除
【補正の内容】
【手続補正４】
【補正対象書類名】明細書
【補正対象項目名】０００９
【補正方法】変更
【補正の内容】
【０００９】
本考案の好適例において、前記キャリア層は離型力を有する材料による透明層または半透明層であり、前記万能層は柔軟材質または硬質材料である。前記万能層は単機能層または多機能層である。